(57)【要約】【課題】回胴式ゲーム機の前扉を施錠する施錠装置であって、その前扉の一部に開閉可能に装着された前パネルを、簡単な構造で施錠・解錠を行うことができる回胴式ゲーム機の施錠装置を提供する。【解決手段】基枠体が上部基枠体１と下部基枠体１１とに分割されて構成され、下部基枠体１１の取付板１２にシリンダ錠７が取り付けられ、上部基枠体１の支持板３に上部の鉤部材４が傾動可能に枢支される。下部基枠体１１の支持板１３に下部の鉤部材１４が傾動可能に枢支される。鉤部２１をシリンダ錠の側に突き出すように設けた前パネル施錠杆２０が下部基枠体１１の支持板１３に沿って摺動可能に配設される。前扉３１の下部に開閉可能に配設された前パネル３２の内側に係止部３４が設けられる。係止部３４が前パネル施錠杆２０の鉤部２１に係止されて前パネル３２が施錠される。【選択図】図１
2004329438.tif 000002
【特許請求の範囲】
【請求項１】
基枠体の支持板の上部と下部に鉤部材が枢軸を介して傾動可能に枢支され、上下の該鉤部材が該支持板に沿って摺動可能に配設された連結杆により連結され、該基枠体の中間部に設けたシリンダ錠の錠軸にカム板が固定され、該カム板が該連結杆に係合可能に配置され、該基枠体が回胴式ゲーム機の前扉に該取付板を介して取り付けられ、該鉤部材が筐体側に取り付けた受け金具の係止部に係止されて前扉を施錠する回胴式ゲーム機の施錠装置において、
前記基枠体が上部基枠体と下部基枠体とに分割されて構成され、該下部基枠体の取付板にシリンダ錠が取り付けられ、該上部基枠体の支持板に上部の鉤部材が傾動可能に枢支され、該下部基枠体の支持板に下部の鉤部材が傾動可能に枢支され、鉤部を該シリンダ錠の側に突き出すように設けた前パネル施錠杆が該下部基枠体の支持板に沿って摺動可能に配設され、該前扉の下部に開閉可能に配設された前パネルの内側に係止部が設けられ、該係止部が該前パネル施錠杆の鉤部に係止されて該前パネルが施錠され、該前パネル施錠杆を摺動させて該前パネルを解錠することを特徴とする回胴式ゲーム機の施錠装置。
【請求項２】
前記前パネル施錠杆は前記下部基枠体の支持板の外側に摺動可能に装着され、該前パネル施錠杆には施錠側に付勢するコイルばねが装着されると共に、解錠操作するための操作部が設けられたことを特徴とする請求項１記載の回胴式ゲーム機の施錠装置。
【請求項３】
基枠体の支持板の上部と下部に鉤部材が枢軸を介して傾動可能に枢支され、上下の該鉤部材が該支持板に沿って摺動可能に配設された連結杆により連結され、該基枠体の中間部に設けたシリンダ錠の錠軸にカム板が固定され、該カム板が該連結杆に係合可能に配置され、該基枠体が回胴式ゲーム機の前扉に取り付けられ、該鉤部材が筐体側に取り付けた受け金具の係止部に係止されて施錠する回胴式ゲーム機の施錠装置において、
鉤部をシリンダ錠の側に突き出すように設けた前パネル施錠杆が該基枠体の下部の支持板に沿って摺動可能に配設され、該前扉の下部に開閉可能に配設された前パネルの内側に係止部が設けられ、該係止部が該前パネル施錠杆の鉤部に係止されて該前パネルが施錠され、該前パネル施錠杆を摺動させて該前パネルを解錠することを特徴とする回胴式ゲーム機の施錠装置。
【請求項４】
前記前パネル施錠杆は前記基枠体の支持板の外側に摺動可能に装着され、該前パネル施錠杆には、施錠側に付勢するコイルばねが装着され、且つ上部と下部に２個の鉤部が設けられると共に、解錠操作するための操作部が設けられたことを特徴とする請求項３記載の回胴式ゲーム機の施錠装置。
【発明の詳細な説明】
【０００１】
【発明の属する技術分野】
本発明は、スロットマシンなどの回胴式ゲーム機の前扉を筐体に対し施錠する施錠装置に関し、特に前扉の下部に開閉可能に設けられた前パネルを施錠する前パネル施錠杆を備えた回胴式ゲーム機の施錠装置に関する。
【０００２】
【従来の技術】
スロットマシンなどの回胴式ゲーム機の前扉をその筐体に対し施錠する回胴式ゲーム機の施錠装置として、前扉の内側に縦に装着され、筐体側に取り付けた受け金具にフック状の鉤部材を係止させて施錠する施錠装置が、従来一般に使用されている（例えば下記特許文献１を参照）。
【０００３】
【特許文献１】
実開平５−８８５８５号公報
【０００４】
この施錠装置は、通常、取付板と支持板を横断面略Ｌ形に成形してなる縦長の基枠体を有し、その支持板の上部と下部に、鉤部材を傾動可能に枢支し、基枠体内に摺動可能に配設した連結杆により上下の鉤部材を連結し、基枠体の取付板の中間部にシリンダ錠が取り付けられ、その錠軸の先端に取り付けたカム板を連結杆に連結させ、シリンダ錠のキー操作によりカム板を回動させ、連結杆を介して上下の鉤部材を下側に傾動させ、解錠する構造である。また、連結杆には鉤部材を施錠側に付勢するコイルばねが掛止され、前扉を筐体に対し閉鎖した時、鉤部材が受け金具の縁部に当って傾動しながら、係止状態となり、コイルばねの付勢力で、鉤部材が係止位置に戻り、施錠状態となるように動作する。
【０００５】
【発明が解決しようとする課題】
ところで、スロットマシンの前扉には、通常、３個の図柄リールを搭載した回胴回転装置が装着され、その前面に各図柄リールの一部を現すリール窓が設けられ、そのリール窓の下には、メダル投入口、スタートレバー、及びストップボタンが配置され、さらに前扉の下部には、メダルの払出口とメダル受け皿が設けられている。また、近年のスロットマシンにおいては、前扉の装飾性が向上し、特にメダル受け皿の上側に、各種のキャラクタなどを印刷した透光性の装飾パネルなどが背面照明器具と共に装着され、装飾パネルをバックライトにより照明して表示する回胴式ゲーム機も開発されている。
【０００６】
この種の回胴式ゲーム機に使用される装飾パネルは、一定期間使用された後には、別のキャラクタなどのパネルと入れ替えて使用されることが多く、また、内部の照明器具などの点検のために、前扉の下部の前パネルを開閉可能とした構造のゲーム機が試作されている。そこで、そのゲーム機の点検時などに前パネルを容易に解錠することができ、且つ小形で簡単な構造の前パネル用の施錠具が要望されていた。
【０００７】
本発明は、上記の点に鑑みてなされたもので、回胴式ゲーム機の前扉を施錠する施錠装置であって、その前扉の一部に開閉可能に装着された前パネルを、簡単な構造で施錠・解錠を行うことができる回胴式ゲーム機の施錠装置を提供することを目的とする。
【０００８】
【課題を解決するための手段】
上記目的を達成するために、本発明の回胴式ゲーム機の施錠装置は、基枠体の支持板の上部と下部に鉤部材が枢軸を介して傾動可能に枢支され、上下の該鉤部材が支持板に沿って摺動可能に配設された連結杆により連結され、基枠体の中間部に設けたシリンダ錠の錠軸にカム板が固定され、カム板が連結杆に係合可能に配置され、基枠体が回胴式ゲーム機の前扉に取付板を介して取り付けられ、鉤部材が筐体側に取り付けた受け金具の係止部に係止されて前扉を施錠する回胴式ゲーム機の施錠装置において、基枠体が上部基枠体と下部基枠体とに分割されて構成され、下部基枠体の取付板にシリンダ錠が取り付けられ、上部基枠体の支持板に上部の鉤部材が傾動可能に枢支され、下部基枠体の支持板に下部の鉤部材が傾動可能に枢支され、鉤部をシリンダ錠の側に突き出すように設けた前パネル施錠杆が下部基枠体の支持板に沿って摺動可能に配設され、前扉の下部に開閉可能に配設された前パネルの内側に係止部が設けられ、係止部が前パネル施錠杆の鉤部に係止されて該前パネルが施錠され、前パネル施錠杆を摺動させて前パネルを解錠することを特徴とする。
【０００９】
ここで、上記前パネル施錠杆は、下部基枠体の支持板の外側に摺動可能に装着され、前パネル施錠杆には施錠側に付勢するコイルばねが装着されると共に、解錠操作するための操作部を設けることができる。
【００１０】
【作用】
上記構成の回胴式ゲーム機の施錠装置は、回胴式ゲーム機の前扉の内側に施錠装置本体が縦に取り付け、その筐体の内側に受け金具が取り付けられる。施錠装置本体は、基枠体が上部基枠体と下部基枠体に分割して形成されるため、連結杆の長さを変えるだけで、その上部基枠体と下部基枠体の上下位置つまり上下の鉤部材の位置をゲーム機の大きさに合わせて装着することができる。装着時には、上部基枠体と下部基枠体に設けた鉤部材が筐体側の受け金具の係止部に向けて配置され、シリンダ錠の正面の鍵穴は、前扉の正面に現れるように、前扉の内側に取り付けられる。
【００１１】
さらに、回胴式ゲーム機の前扉の下部には、前パネルがヒンジを介して開閉可能に取り付けられる。本施錠装置の下部基枠体には前パネル施錠杆が配設されており、その前パネル施錠杆の鉤部に対向する前パネルの内側に、その鉤部が係止可能な係止部が設けられる。
【００１２】
本施錠装置では、ゲーム機の筐体に対し前扉を閉じると、施錠装置本体の鉤部材が筐体側の受け金具に当たりながら前進し、それにより上下の鉤部材が傾動して受け金具の係止部に係止され、施錠される。解錠する際には、前扉の前面のシリンダ錠にキーを差し込み、一方向に回すと、シリンダ錠の錠軸とカム板が回動し、これによりカム板と係合部を介して係合する連結杆が摺動し、連結杆と連結された上下の鉤部材が傾動して、受け金具との係合を解除し、解錠される。
【００１３】
一方、前パネルを開く場合は、先ず前扉を上記のように解錠して開いた状態とし、前扉の内側に位置する下部基枠体に設けた前パネル施錠杆を、操作部を持って例えば下方に押し下げる。これにより、前パネル施錠杆が下方に摺動し、その鉤部と前パネル側の係止部との係合が外れて前パネルが解錠され、開放される。開いた状態の前パネルは、そのまま前扉に対し閉じるだけで、その内側の係止部が前扉側の前パネル施錠杆の鉤部に当り、それを摺動させて係止状態となり、施錠される。
【００１４】
【発明の実施の形態】
以下、本発明の実施の形態を図面に基づいて説明する。図１は、回胴式ゲーム機用の施錠装置の右側面図を、図２はその左側面図を示し、図３はその背面図を示し、図４はその分解側面図を示している。この施錠装置本体は、基枠体が上部基枠体１と下部基枠体１１とに分割されて構成され、下部基枠体１１の取付板１２にシリンダ錠７が正面側に突出して取り付けられ、上部基枠体１の支持板３に上部の鉤部材４が傾動可能に枢支され、下部基枠体１１の支持板１３に下部の鉤部材１４が傾動可能に枢支される。
【００１５】
上部基枠体１は、取付板２と支持板３を横断面Ｌ形に成形して形成され、その支持板３の幅広部に、フック状の鉤部材４が背面側に突出するように、その中間部を枢軸４ａを介して下側に傾動可能に枢支される。さらに、鉤部材４の末端部が、後述の下部基枠体１１から延びる連結杆６の上端に連結ピン４ｂにより連結され、この鉤部材４は連結杆６の上側への摺動により下側に傾動可能である。連結杆４は、取付板２上に切り起して形成した切起部により、支持板３に沿って摺動可能にガイドされる。
【００１６】
下部基枠体１１は、取付板１２と支持板１３を横断面Ｌ形に成形して形成され、取付板１２の一部に幅広部が設けられる。その取付板１２の幅広部に前扉解錠用のシリンダ錠７が取り付けられる。シリンダ錠７は、長尺の円筒状に形成され、末端にフランジ部を有し、取付板１２に穿設された孔に内側から挿入され、フランジ部を取付板１２の内側にねじで固定し、取り付けられる。シリンダ錠７の錠軸の末端はフランジ部を通して内側に突出し、その先端にカム板８が固定される。
【００１７】
下部基枠体１１内には、その支持板１３の内側に沿って連結杆６が上下に摺動可能に配設される。図４に示すように、連結杆６は、帯状で縦長に形成され、その上部は連結ピン４ｂにより上部基枠体１内の鉤部材４に連結され、その下部に設けた下部基枠体１１内に入る部分に、後述のカム板８と係合可能な係合部６ａと長孔６ｂが設けられる。
【００１８】
上部基枠体１と下部基枠体１１を分割形成した本施錠装置によれば、連結杆６における上部基枠体１と下部基枠体１１との間の部分の長さを変えるだけで、上部基枠体１の鉤部材４と下部基枠体１１の鉤部材１４の位置が変えられるから、各種のゲーム機の大きさで、受け金具の間隔が各種のものに対し、連結杆６の長さを変えるだけで、対応することができる。この連結杆６は下部基枠体１１の支持板１３に沿って配設され、ガイドピン１７を長孔６ｂに挿通させて支持板１３に固定することにより、連結杆６はガイドピン１７にガイドされて上下摺動可能に支持される。
【００１９】
また、下部基枠体１１の支持板１３の幅広部にはフック状の鉤部材１４が背面側に突出するように、その中間部を枢軸１４ａを介して下側に傾動可能に枢支される。さらに、鉤部材１４の末端部には、連結杆６の下端が連結ピン１４ｂにより連結され、これにより、鉤部材１４は、連結杆６の上方への摺動により、下側の解錠側に傾動する。また、連結杆６と後述のスイッチ作動杆１５の間にはコイルばね９が架け渡され、連結杆６を下方つまり鉤部材４，１４を施錠方向に付勢している。鉤部材４，１４は、このコイルばね９により施錠方向に付勢され、その施錠位置では、支持板３，１３に設けられたストッパに当って停止する。
【００２０】
さらに、下部基枠体１１内の支持板１３と連結杆６との間に、スイッチ作動杆１５が摺動可能に配設される。このスイッチ作動杆１５は、図示しない非接触スイッチをスイッチングさせるもので、上記のカム板８と係合可能な係合部１５ａがその上部に設けられ、その下部には、非接触スイッチ内に進入して動作させるための作動片１６が設けられる。このスイッチ作動杆１５は、上記のコイルばね９により、スイッチの非作動側に付勢されている。
【００２１】
さらに、この下部基枠体１１の支持板１３の外側には、前扉３１の下部に設けた前パネル３２を施錠するための前パネル施錠杆２０が摺動可能に装着される。前パネル施錠杆２０は、図２、図５、図８に示すように、２つのフック状の鉤部２１，２１が正面側を向いて突設され、前扉３１の下部に開閉可能にヒンジ３３を介して取り付けられた前パネル３２の係止部３４、３４を、その鉤部２１，２１で係止するように設けられる。また、その下端部には解錠時に前パネル施錠杆２０を手動で解錠側に押し下げるための操作部２３が設けられ、さらに、施錠杆２０にはガイド用の長孔２６、２６が穿設されている。
【００２２】
図２に示すように、この長孔２６，２６にはガイドピン２５，２５が挿入されてその先端が支持板１３に固定され、この前パネル施錠杆２０は、このガイドピン２５，２５と長孔２６によって、上下に所定の幅で摺動可能である。さらに、前パネル施錠杆２０と支持板１３との間にコイルばね２４がかけられ、コイルばね２４のばね力により前パネル施錠杆２０は常時上方の施錠側に付勢される。
【００２３】
上記のように構成された施錠装置本体は、図５〜図８に示すように、回胴式ゲーム機の筐体３０に開閉可能に装着された前扉３１の内側に縦に取り付けられ、シリンダ錠７の先端を前面に露出させ、鉤部材４，１４を筐体３０側に向けた姿勢で、その上部基枠体１と下部基枠体１１がその取付板２、１２を用いて縦に取付けられる。
【００２４】
一方、筐体３０の内壁の縁部には、縦長の受け金具３５が固定され、受け金具３５には、上記の鉤部材４，１４に対応した上下位置に係止部３６，３７が設けられ、鉤部材４，１４がその係止部３６，３７に係止可能である。前パネル３２は、図５〜図８に示すように、前扉３１の下部に開閉可能にヒンジ３３を介して取り付けられ、係止部３４、３４がその内側に設けられる。前パネル３２には、図示しない装飾パネルなどが交換可能に装着されており、その内側には照明器具などが配設される。
【００２５】
回胴式ゲーム機の前扉３１を筐体３０に対し閉じると、図７、図８のように、施錠装置本体の上下の鉤部材４、１４が筐体３０側の受け金具３５の係止部３６，３７に当って下方に傾動し、その後コイルばね９の付勢力により戻って係止され、施錠状態となる。
【００２６】
前扉３１を解錠する場合は、キーをシリンダ錠７に差し込んで一方に回し、カム板８を同方向に回転させると、カム板８の係合部が連結杆６の係合部６ａと係合してこれを上方へ摺動させ、上下の鉤部材４，１４を下方に傾動させる。この鉤部材４，１４の傾動によって、筐体３０の受け金具３５の係止部３６，３７との係合が外れ、前扉３１は開放可能な状態となる。
【００２７】
前扉３１の下部の前パネル３２を開く場合、前扉３１を開いた状態で、その開口部から内側に手を入れ、前パネル施錠杆２０の操作部２３を持って押し下げる。これによって、前パネル施錠杆２０が下降し、その鉤部２１，２１と前パネル側の係止部３４，３４との係合が外れ、前パネル３２が解錠され、開かれる。前パネル３２を閉鎖する場合、前パネル３２を閉じる方向に押し込むと、その係止部３４，３４が前パネル施錠杆２０の鉤部２１，２１に係止され、施錠状態となる。
【００２８】
このように、前扉３１の前パネル３２を開閉可能とした回胴式ゲーム機において、前パネル３２を閉じると、前パネル施錠杆２０の鉤部２１が係止されて簡単に施錠状態となり、開ける際には操作部２３を押し下げるだけで前パネル３２を簡単に解錠することができる。また、この前パネル施錠杆２０は、簡単な構造で、前扉用の施錠装置に取り付けられるため、前パネル専用の施錠装置を取り付ける必要はなく、スペースの少ない場所でも、前パネルの施錠機構として有用に機能させることができる。
【００２９】
図９、図１０は他の実施形態の回胴式ゲーム機の施錠装置を示している。この例では、基枠体４１が一体に構成されて縦長に形成されると共に、薄形に形成されている。すなわち、基枠体４１は、支持板４３を主要部として薄形に形成され、支持板４３の中間部の下寄りに長さの短い取付板４２が直角に曲折されて形成され、その取付板４２にシリンダ錠４７が上記と同様に取り付けられる。シリンダ錠４７の錠軸にはカム板４８が固定される。
【００３０】
一方、支持板４３の上部には、鉤部材４４が背面側に突き出すように、枢軸４４ａにより傾動可能に枢支され、その下部には、同様に鉤部材４５が背面側に突き出すように、枢軸４５ａにより傾動可能に枢支される。支持板４３の右側の側縁部には、略Ｌ字状の曲折された曲折縁部４３ａが上下の全長に亘って形成され、基枠体４１を補強すると共に、前扉への装着時には前扉と筐体の間の隙間を閉鎖する機能を持たせている。支持板４３の内側に沿って連結杆４６が摺動可能に配設され、その連結杆４６の上端と下端が上下の鉤部材４４，４５に連結ピン４４ｂ、４５ｂにより連結される。連結杆４６におけるシリンダ錠４７の近傍には、カム板４８と係合可能な係合部が設けられ、解錠時、シリンダ錠４７によるカム板４８の回転により、コイルばね４９により下方の施錠側に付勢される連結杆４６は、その付勢力に抗して上方に摺動する。
【００３１】
基枠体４１の下部の支持板４３の左側には、前パネル施錠杆５０が長孔とガイドピンにより摺動可能に装着され、前パネル施錠杆５０には、前方つまりシリンダ錠４７の側に、２個の鉤部材５１，５１が突き出すように設けられる。また、支持板４３の下部には、前扉支持用のローラ５３が回転自在に軸支されている。
【００３２】
このように構成された回胴式ゲーム機の施錠装置本体は、上記と同様に図１０の如く、回胴式ゲーム機の前扉３１の内側に縦に取り付けられ、筐体３０の内側には、その上下の鉤部材４４，４５に対応した位置に、受け金具の係止部５６，５７が取り付けられる。また、係止部５７の下側にはローラ５３が乗り上げて支持される支持板５８が設けられる。
【００３３】
この施錠装置においても、前扉３１を解錠する場合は、上記と同様に、キーをシリンダ錠４７に差し込んで回し、カム板４８を回転させると、カム板４８の係合部が連結杆４６の係合部と係合してこれを上方へ摺動させ、上下の鉤部材４４，４５を下方に傾動させる。この鉤部材４４，４５の傾動によって、筐体３０の受け金具の係止部５６，５７との係合が外れ、前扉３１は開放可能な状態となる。
【００３４】
また、前扉３１の下部の前パネル３２を開く場合、上記と同様に、前扉３１を開いた状態で、その開口部から内側に手を入れ、前パネル施錠杆５０の操作部を持って押し下げる。これによって、前パネル施錠杆５０が下降し、その鉤部５１、５１と前パネル側の係止部３４，３４との係合が外れ、前パネル３２が解錠され、開かれる。前パネル３２を閉鎖する場合、前パネル３２を閉じる方向に押し込むと、その係止部３４，３４が前パネル施錠杆５０の鉤部５１，５１に係止され、施錠状態となる。
【００３５】
【発明の効果】
以上説明したように、本発明の回胴式ゲーム機の施錠装置によれば、回胴式ゲーム機の前扉に前パネルが開閉可能に装着されたものにおいて、前パネルを閉じた際、前パネルの係止部が前パネル施錠杆の鉤部に係止されて簡単に施錠状態となり、開ける際には操作部などを押し下げるだけで前パネルを簡単に解錠することができる。また、この前パネル施錠杆は、簡単な構成で、前扉用の施錠装置に取り付けられるため、前パネル専用の施錠装置を取り付ける必要はなく、スペースの少ない場所でも、前パネルの施錠機構として有用に機能させることができる。さらに、基枠体が上部基枠体と下部基枠体に分割して構成されるため、連結杆の長さを変えるだけで、その上部基枠体と下部基枠体の上下位置つまり上下の鉤部材の位置をゲーム機の大きさに合わせて装着することができる。
【図面の簡単な説明】
【図１】本発明の一実施形態を示す回胴式ゲーム機の施錠装置の右側面図である。
【図２】同施錠装置の左側面図である。
【図３】同施錠装置の背面図である。
【図４】同施錠装置の分解側面図である。
【図５】回胴式ゲーム機に取り付けた状態の正面図である。
【図６】回胴式ゲーム機に装着した状態の右側面図である。
【図７】回胴式ゲーム機の前扉を開いた状態の右側面図である
【図８】前パネルを開いた状態の右側面図である。
【図９】他の実施形態を示す回胴式ゲーム機の施錠装置の右側面図である。
【図１０】回胴式ゲーム機の前扉を開いた状態の右側面図である。
【符号の説明】
１−上部基枠体
２−取付板
３−支持板
４、１４−鉤部材
６−連結杆
７−シリンダ錠
８−カム板
１１−下部基枠体
１２−取付板
１３−支持板
２０−前パネル施錠杆
２１−鉤部
２３−操作部
３０−筐体
３１−前扉
３２−前パネル
３４−係止部
【図１】
2004329438.tif 000003
【図２】
2004329438.tif 000004
【図３】
2004329438.tif 000005
【図４】
2004329438.tif 000006
【図５】
2004329438.tif 000007
【図６】
2004329438.tif 000008
【図７】
2004329438.tif 000009
【図８】
2004329438.tif 000010
【図９】
2004329438.tif 000011
【図１０】
2004329438.tif 000012